(57)【特許請求の範囲】
【請求項１】
複数の移動局と、これら複数の移動局と無線通信を行う基地局と、この基地局に接続され、無線通信回線の制御を行う回線制御装置とを備え、
前記基地局は、
前記回線制御装置との接続状態の異常を検出する検出部と、
前記検出部によって異常が検出されると、予め設定された特定の前記移動局からの信号の受信に基づいて、基地局折り返し通信の起動と停止を切り替える制御部とを備えたことを特徴とする、無線通信システム。
【請求項２】
前記基地局はタイマを備え、前記制御部は、前記特定の移動局からの信号を受信すると前記タイマを起動し、所定時間経過するまでは前記特定の移動局から信号を受信しても基地局折り返し通信の起動と停止の切り替えを抑止し、所定時間経過後に前記特定の移動局から信号を受信すると基地局折り返し通信の起動と停止の切り替えるとともに、前記タイマをリセットすることを特徴とする、請求項１記載の無線通信システム。
【請求項３】
複数の移動局と、これら複数の移動局と無線通信を行う基地局と、この基地局に接続され、無線通信回線の制御を行う回線制御装置とを備え、
前記基地局は、
前記回線制御装置との接続状態の異常を検出する検出部と、
前記検出部によって異常が検出されると、予め設定された特定のショートメッセージの受信に基づいて、基地局折り返し通信の起動と停止を切り替える制御部とを備えたことを特徴とする、無線通信システム。
【請求項４】
前記基地局の前記制御部は、基地局折り返し通信の起動と停止の切り替えると、その旨のショートメッセージを前記特定の移動局へ送信することを特徴とする、請求項３記載の無線通信システム。
【請求項５】
複数の移動局と無線通信を行うとともに、無線通信回線の制御を行う回線制御装置と接続された基地局であって、
前記回線制御装置との接続状態の異常を検出する検出部と、
前記検出部によって異常が検出されると、予め設定された特定の前記移動局からの信号の受信に基づいて、基地局折り返し通信の起動と停止を切り替える制御部とを備えたことを特徴とする、基地局。
【請求項６】
タイマを備え、前記制御部は、前記特定の移動局からの信号を受信すると前記タイマを起動し、所定時間経過するまでは前記特定の移動局から信号を受信しても基地局折り返し通信の起動と停止の切り替えを抑止し、所定時間経過後に前記特定の移動局から信号を受信すると基地局折り返し通信の起動と停止の切り替えるとともに、前記タイマをリセットすることを特徴とする、請求項５記載の基地局。
【請求項７】
複数の移動局と無線通信を行うとともに、無線通信回線の制御を行う回線制御装置と接続された基地局であって、
前記回線制御装置との接続状態の異常を検出する検出部と、
前記検出部によって異常が検出されると、予め設定された特定のショートメッセージの受信に基づいて、基地局折り返し通信の起動と停止を切り替える制御部とを備えたことを特徴とする、基地局。
【請求項８】
前記基地局の前記制御部は、基地局折り返し通信の起動と停止の切り替えると、その旨のショートメッセージを前記特定の移動局へ送信することを特徴とする、請求項７記載の基地局。
【発明の詳細な説明】
【技術分野】
【０００１】
本発明は無線通信システム及び基地局に関し、特に基地局折り返し通信を行う無線通信システム及び基地局に関する。
【背景技術】
【０００２】
従来から、例えば図７に示すような、複数の移動局１〜４と、センター設備１００と、基地局２００とから構成される無線通信システムがある。このような無線通信システムでは、通信回線の制御を行うセンター設備１００の回線制御装置１１と基地局２００とはアプローチ回線３０を介して接続されている。
【０００３】
なお、図７に示す無線通信システムでは、基地局２００は、第１の周波数帯（Ｆ１）で通信する第１基地局無線装置２０１と、第２の周波数帯（Ｆ２）で通信する第２基地局無線装置２０２とを備えており、移動局１〜４と基地局２００とは、これら第１及び／又は第２の周波数帯の無線信号にて無線通信を行う。
また、センター設備１００は、ユーザが移動局１〜４への指令を入力する指令卓１２と、移動局１〜４と通信を行う通信卓１３とを備えている。
【０００４】
ここで、移動局１〜４間や、センター設備１００と移動局１〜４間の通信は、回線制御装置１１がすべて制御しているため、アプローチ回線３０が切断した場合には、これらは通信不能になってしまう。このような事態を回避するために、従来から、アプローチ回線３０が切断してしまうと、基地局２００が基地局折り返し通信を行い、当該基地局２００の通信エリア内に存在する移動局１〜４間の通信だけは確保するようなっている。基地局２００の基地局折り返し通信の詳細は、例えば、（社）電波産業会が策定する標準規格ＡＲＩＢ＿ＳＴＤ−Ｔ６１「狭帯域デジタル通信方式（ＳＣＰＣ／ＦＤＭＡ）」などに規定されている。
【非特許文献１】ＡＲＩＢ  ＳＴＤ−Ｔ６１  １．２版  「狭帯域デジタル通信方式（ＳＣＰＣ／ＦＤＭＡ）」  一般社団法人電波産業会
【発明の開示】
【発明が解決しようとする課題】
【０００５】
ところで、従来の基地局２００は、アプローチ回線３０が切断すると、基地局折り返し通信を自動的に開始するが、アプローチ回線３０が切断されているため、センター設備１００からの基地局２００に対する制御が不能となってしまい、基地局２００はその後ずっと基地局折り返し通信を行うこととなる。そのため、基地局２００が送受信する電波が当該基地局２００固有のものであれば良いが、隣接する基地局と同一周波数帯の電波を使用している場合には、基地局の通信エリアのオーバーリーチが発生し、基地局２００が基地局折り返し通信を行っている期間はずっと干渉が生じ続けるおそれがある。
【０００６】
例えば、図８に示すように、他のシステムの基地局２１０も第２基地局無線装置２０２と同じ周波数帯（Ｆ２）の電波を送受信するものである場合、第２基地局無線装置２０２の通信エリア２０２ａと基地局２１０の通信エリア２１０ａとが重なる斜線領域２２０では、電波が干渉して移動局１〜４は正常に通信を行えなくなってしまう。
【０００７】
より具体的には、例えば消防無線システムには、システム毎に割り当てられる活動波と呼ばれるシステム固有の電波（チャネル）と、全国共通で使用される共通波と呼ばれる電波とがあるが、共通波を送受信する基地局が折り返し通信を行った場合には、他のシステムの基地局や同システム内の別の基地局など、同じ共通波を使用している他基地局とのオーバーリーチが発生し、基地局折り返し通信を行っている間は、そのエリアでは正常な通信を行うことができないおそれがある。
【０００８】
そこで、本発明は、上記した課題に鑑み、基地局による基地局折り返し通信を遠隔から制御できるようにして、干渉が長時間発生し続けるような事態を抑止できるようにすることを目的とする。
【課題を解決するための手段】
【０００９】
上述した課題を解決するために、本発明に係る無線通信システムは、複数の移動局と、これら複数の移動局と無線通信を行う基地局と、この基地局に接続され、無線通信回線の制御を行う回線制御装置とを備え、前記基地局は、前記回線制御装置との接続状態の異常を検出する検出部と、前記検出部によって異常が検出されると、予め設定された特定の前記移動局からの信号の受信に基づいて、基地局折り返し通信の起動と停止を切り替える制御部とを備えたことを特徴としている。
【００１０】
さらに、上述した課題を解決するために、本発明の基地局は、複数の移動局と無線通信を行うとともに、無線通信回線の制御を行う回線制御装置と接続されたものであって、前記回線制御装置との接続状態の異常を検出する検出部と、前記検出部によって異常が検出されると、予め設定された特定の前記移動局からの信号の受信に基づいて、基地局折り返し通信の起動と停止を切り替える制御部とを備えたことを特徴としている。
【００１１】
なお、前記基地局はタイマを備え、前記制御部は、前記特定の移動局からの信号を受信すると前記タイマを起動し、所定時間経過するまでは前記特定の移動局から信号を受信しても基地局折り返し通信の起動と停止の切り替えを抑止し、所定時間経過後に前記特定の移動局から信号を受信すると基地局折り返し通信の起動と停止の切り替えるとともに、前記タイマをリセットすることが好ましい。
【００１２】
また、上述した課題を解決するために、本発明に係る無線通信システムは、複数の移動局と、これら複数の移動局と無線通信を行う基地局と、この基地局に接続され、無線通信回線の制御を行う回線制御装置とを備え、前記基地局は、前記回線制御装置との接続状態の異常を検出する検出部と、前記検出部によって異常が検出されると、予め設定された特定のショートメッセージの受信に基づいて、基地局折り返し通信の起動と停止を切り替える制御部とを備えたことを特徴としている。
【００１３】
さらに、上述した課題を解決するために、本発明に係る基地局は、複数の移動局と無線通信を行うとともに、無線通信回線の制御を行う回線制御装置と接続されたものであって、  前記回線制御装置との接続状態の異常を検出する検出部と、前記検出部によって異常が検出されると、予め設定された特定のショートメッセージの受信に基づいて、基地局折り返し通信の起動と停止を切り替える制御部とを備えたことを特徴としている。
【００１４】
なお、前記基地局の前記制御部は、基地局折り返し通信の起動と停止の切り替えると、その旨のショートメッセージを前記特定の移動局へ送信することが好ましい。
【発明の効果】
【００１５】
本発明に係る無線通信システム及び基地局によれば、基地局折り返し通信を特定の移動局からの信号、または、特定のショートメッセージを用いて遠隔から制御することができ、干渉が長時間発生し続けるような事態を抑止することができる。
【図面の簡単な説明】
【００１６】
【図１】本発明に係る無線通信システムの構成例を示すブロック図である。
【図２】本発明の第１実施形態に係る無線通信システムの基地局の機能構成例を示すブロック図である。
【図３】本発明の第１実施形態に係る無線通信システムの基地局の処理手順の一例を説明するためのフローチャートである。
【図４】本発明の第１実施形態に係る無線通信システムにおける同期バースト信号のフレーム構成例を示す図である。
【図５】本発明の第２実施形態に係る無線通信システムの基地局の処理手順の一例を説明するためのフローチャートである。
【図６】本発明の変形例としての無線通信システムの基地局の機能構成例を示すブロック図である。
【図７】従来の無線通信システムの構成例を示すブロック図である。
【図８】基地局間のオーバーリーチを説明するための図である。
【発明を実施するための最良の形態】
【００１７】
以下、本発明に係る無線通信システム及び基地局を実施するための最良の形態について、図面を参照して説明する。
【００１８】
〔１〕本発明の第１実施形態について
図１は本発明の第１実施形態としての無線通信システム（以下、本無線通信システムという）の構成を示すブロック図である。なお、図１において図７に示す符号と同一の符号は同一の部分または略同一の部分を示す。
図１に示すように、本無線通信システムは、複数の移動局１〜４と、センター設備１０と、基地局２０とを備えている。なお、図１では図の簡略化のため移動局１〜４を４つ、基地局２０を１つのみ示しているが、これらの数は限定されるものではない。
【００１９】
移動局１〜４は、例えば携帯型無線機や車載無線機であり、他の移動局１〜４やセンター設備の指令台１２、通信卓１３と通信を行う。詳細は図示しないが、移動局１〜４は、ユーザの操作を受け付ける操作部（例えば、プレストークスイッチ、チャネル選択スイッチ、音量変更スイッチ、テンキー）と、マイクと、スピーカと、無線通信を行う無線部と、これら操作部、マイク、スピーカ、無線部に接続された制御部とを備えている。
【００２０】
また、移動局１〜４は操作部を操作することによって通信チャネルを選択できるように構成されており、後述する複数のチャネルＦ１、Ｆ２（周波数帯）のどれを受信するかを指定することができる。
なお、移動局１、２は携帯機であり、設定された一つのチャネルのみ送受信が可能である。また、移動局３、４は車載機であり無線部を２つ備え、設定された二つのチャネルを同時に送受信可能に構成されている。
【００２１】
センター設備１０は、回線制御装置１１、指令台１２、通信卓１３、特番設定移動局装置１４、モード確認用移動局装置１５を備えている。
回線制御装置１１は、本無線通信システム内の無線通信回線を制御するものである。
指令卓１２は、オペレータの操作に基づいて、回線制御装置１１と基地局２０を介して、移動局１〜４への指令を行うものである。
【００２２】
通信卓１３は、オペレータの操作に基づいて、回線制御装置１１と基地局２０を介して、移動局１〜４と通信（通話やデータ通信）を行うものである。
【００２３】
特番設定移動局装置（以下、特定の移動局ともいう）１４は、オペレータの操作に基づいて所定の信号を無線送信するものであり、基地局２０の第１基地局無線装置２１または第２基地局無線装置２２による折り返し通信の起動／停止を切り替える専用端末である。
【００２４】
つまり、特定の移動局１４は、本無線通信システムの管理者や責任者等によって、基地局２０の基地局折り返し通信を切り替えるために使用される端末であって、特番が設定されている以外は、通常の移動局１〜４（特に携帯機）と同一のものであってもよい。
【００２５】
モード確認用移動局装置１５（以下、単に移動局１５ともいう）は、基地局２０が基地局折り返し通信中であるか否かを確認するための無線機であり、移動局１〜４と同じ構成であっても良い。つまり、モード確認用移動局装置１５は、本無線通信システムの管理者や責任者等が、特定の移動局１４によって基地局折り返し通信の起動／停止を指示通り切り替えることができたか、または、現在基地局折り返し起動中であるか停止中であるかを確認するために使用する端末である。
【００２６】
具体的には、基地局折り返し通信が起動中であれば、他の移動局１〜４が発信した信号を基地局２０が折り返し送信するので、移動局１５は当該基地局２０の下り信号を受信することができ、ユーザは例えば移動局１５の受信中の表示（ＬＥＤや画面等）や、音声の着信があれば、基地局折り返し通信が起動中であると知ることができる。
一方、移動局１５に受信表示されなかったり、音声出力がされなければ、ユーザは基地局折り返し通信が停止中であると知ることができる。
なお、モード確認用移動局装置１５は移動局１〜４によって代替することも可能である。
【００２７】
基地局２０は、移動局１〜４、特番設定移動局装置１４、モード確認用移動局装置１５と無線通信を行うものであり、アプローチ回線３０を介してセンター設備１０の回線制御装置１１に接続されている。そして、通常時（つまり、アプローチ回線３０によって回線制御装置１１と接続され、互いに正常に動作している状態時）は、基地局２０は、回線制御装置１１に制御されて例えば指令台１２と移動局１〜４間や、移動局１〜４間の通話を実現する。
【００２８】
そして、本無線通信システムでは、基地局２０は、第１基地局無線装置２１と第２無線基地局装置２２とを備えている。なお、本発明において基地局２０が備える基地局無線装置の数は限定されるものでない。
【００２９】
第１基地局無線装置２１は、周波数帯Ｆ１の無線信号を送受信し、第２基地局無線装置２２は、周波数帯Ｆ２の無線信号を送受信する。例えば、本無線通信システムが消防無線システムの場合には、第１基地局無線装置２１が活動波Ｆ１を送受信し、第２基地局無線装置２２が共通波Ｆ２を送受信する。なお、それぞれの基地局無線装置２１、２２が送受信する無線信号は、各周波数帯において上り無線信号と下り無線信号とで周波数が異なっている。
【００３０】
図２にこれら第１、第２基地局無線装置２１、２２の機能ブロック図を示す。図２に示すように、基地局２０は、アプローチ回線３０が接続されたインタフェース部２３を備えており、第１基地局無線装置２１と第２無線基地局装置２２は同様の構成となっている。
各基地局無線装置２１、２２は、それぞれ、無線送受信装置２４、２５と、制御部２６、２７とを備えており、制御部２６、２７は、検出部２６ａ、２７ａとメモリ２６ｂ、２７ｂと、タイマ２６ｃ、２７ｃとを備えている。
【００３１】
無線送受信装置２４、２５は、それぞれ、制御部２６，２７に制御されて無線信号を送受信するものである。
制御部２６、２７は各基地局無線装置２１、２２を制御するものであり、インタフェース部２３を介してアプローチ回線３０に接続されている。アプローチ回線３０は例えばＩＰ回線である。
【００３２】
そして、検出部２６ａ、２７ａは、アプローチ回線３０を介して接続された回線制御装置１１との接続状態の異常を監視し、検出する。検出部２６ａ、２７ａの異常監視、検出方法は本発明において限定されるものではないが、例えば、検出部２６ａ、２７ａは、定期的あるいは所定時間以上信号の送受信がない場合に接続確認信号を回線制御装置１１に送信し正常な応答を得られるか、つまり、回線制御装置１１との接続確認信号の送受信により、信号を送受信できれば正常と判断し、送受信できなければ異常と判断する。また、回線制御装置１１及び/または基地局２０が正常時は生存信号を常に送信するように構成されており、検出部２６ａ、２７ａは、生存信号を受信できなくなれば回線異常と判断してもよい。さらには、検出部２６ａ、２７ａは、回線制御装置１１から所定時間信号を受信できなければ、接続異常を検出してもよい。
【００３３】
したがって、検出部２６ａ、２７ａは、アプローチ回線３０の物理的な切断を異常として検出するとともに、回線制御装置１１の故障やインタフェース部２３の故障など、論理的な異常に起因する接続異常も接続状態の異常として検出する。
また、検出部２６ａ、２７ａは、アプローチ回線３０の異常を検出した後、アプローチ回線３０との接続状態が正常に戻ったことを検出できることが望ましい。この場合、検出部２６ａ、２７ａは、例えば、アプローチ回線３０の接続異常を検出した後も、定期的に接続確認を行い、接続確認が正常にできた場合にアプローチ回線３０との接続状態が正常に復旧したことを検出する。
【００３４】
メモリ２６ｂ、２７ｂはそれぞれ、基地局折り返し通信の起動、停止を切り替える特番設定移動局装置１４の特番、例えば、装置個別のＩＤなどの発信者番号を保持している。
そして、制御部２６、２７は、検出部２６ａ、２７ａによってアプローチ回線３０の接続状態の異常が検出されると、メモリ２６ｂ、２７ｂに予め設定された特定の移動局１４からの所定の信号を待ち受ける独立運用モードに移行し、特定の移動局１４からの所定の信号を受信する度に、基地局折り返し通信の起動と停止を切り替える。
【００３５】
なお、制御部２６、２７は、検出部２６ａ、２７ａによって接続異常が検出されると、基地局折り返し通信は開始（起動）せずに特定の移動局１４からの信号を待ち受けてもよいし、基地局折り返し通信を開始（起動）して特定の移動局１４からの信号を待ち受けてもよい。
【００３６】
また、制御部２６、２７は、検出部２６ａ、２７ａによってアプローチ回線３０の接続異常が検出された後に、復旧が検出されると、基地局折り返し通信を停止して、独立運用モードから通常の運用に復帰する。
タイマ２６ｃ、２７ｃは、それぞれ、制御部２６、２７に制御されて、時間を計測するものである。
【００３７】
制御部２６、２７は、検出部２６ａ、２７ａによってアプローチ回線３０の回線異常が検出されてメモリ２６ｂ、２７ｂに記憶された特定の移動局１４からの信号を受信すると、タイマ２６ｃ、２７ｃを起動する。そして、制御部２６、２７は、タイマ２６ｃ、２７ｃに基づいて所定時間経過するまでは特定の移動局１４から信号を受信しても基地局折り返し通信の起動と停止の切り替えを抑止し、タイマ２６ｃ、２７ｃに基づいて所定時間経過後に特定の移動局１４から信号を受信すると基地局折り返し通信の起動と停止の切り替えるとともに、タイマ２６ｃ、２７ｃをリセットする。
【００３８】
ここで、図３に基地局２０の検出部２６ａ、２７ａがアプローチ回線３０の接続異常を検出した場合の基地局２０の処理フローの一例を示す。
アプローチ回線３０の切断や回線制御装置１１の故障により、検出部２６ａ、２７ａがアプローチ回線３０の接続異常、つまり、回線制御装置１１との接続状態の異常を検出すると（ステップＳ１）、メモリ２６ｂ、２７ｂに予め設定された特定の移動局１４からの信号を待ち受ける独立運用モードに移行する（ステップＳ２）。ここで、特定の移動局１４からの信号は、例えば、特定の移動局１４からの発呼操作（プレストークスイッチの押下）によって送信される同期バースト信号である。この同期バースト信号の送信は、通常の移動局１〜４でも行われるものである。
【００３９】
また、検出部２６ａ、２７ａが接続異常を検出すると、制御部２６、２７は、基地局折り返し通信を自動的に起動しても良い。このとき、制御部２６、２７が基地局折り返し通信を起動するか否かは、予め設定することができることが望ましい。なお、ここでは、自動的に起動しない場合を例にあげて説明する。
【００４０】
さらに、基地局２０における制御部２６、２７による基地局折り返し通信の具体的方法は本発明において限定されるものではないが、例えば、（社）電波産業会が策定する標準規格ＡＲＩＢ＿ＳＴＤ−Ｔ６１「狭帯域デジタル通信方式（ＳＣＰＣ／ＦＤＭＡ）」に規定されている方法により、基地局折り返し通信を行う。
【００４１】
そして、制御部２６、２７は独立運用モードに移行すると、特定の移動局１４から同期バースト（ＳＢ）信号を待ち受ける（ステップＳ３）。そして、無線送受信部２４、２５によってＳＢ受信しなければ、制御部２６、２７はそのまま待受け状態を継続し（ステップＳ３のＮｏルート）、無線送受信部２４、２５がＳＢを受信すると（ステップＳ３のＹｅｓルート）、制御部２６、２７は、受信したＳＢに含まれる発信者番号（発番）が、メモリ２６ｂ、２７ｂに予め記憶された特定の番号（特番）であるか否かを判断する（ステップＳ４）。ここでは、制御部２６、２７は、特定の移動局１４からのＳＢ信号であるか否かを判断する。
【００４２】
ここで、移動局１〜４や特定の移動局１４、及び、モード確認用移動局装置１５からの同期バースト信号のフレーム構成例を図４に示す。この図４に示すように、同期バースト信号は、リニアライザ用プリアンブル及びバースト過渡応答用ガードタイム（図中“ＬＰ＋Ｒ”）４０、プリアンブル（図中“Ｐｂ”）４１、４２、無線情報チャネル（図中“ＲＩ”）４３、同期ワード（図中“ＳＷ”）４４、パラメータ情報チャネル（図中“ＰＩＣＨ”）４５、ガードタイム（図中“Ｇ”）４６からなる。
【００４３】
なお、図中の数字はビット数を表している。そして、発信者番号はパラメータ情報チャネル４５に含まれている。
また、本無線通信システムでは、移動局１〜４、１４、１５がプレストークスイッチを押下して発信要求を行うと、自動的に同期バースト信号が複数回送信される。
【００４４】
そして、制御部２６、２７は、ＳＢ信号を受信すると、そのＳＢ信号におけるＰＩＣＨ４５に含まれる発信者番号が、メモリ２６ｂ、２７ｂに保持された特定の移動局１４のＩＤと一致するか否かを判断し（ステップＳ４）、一致する（発番が特番である）場合は（ステップＳ４のＹｅｓルート）、基地局折り返しモードを切り替える（本例では起動する）（ステップＳ５）。一方、受信したＳＢ信号におけるＰＩＣＨ４５に含まれる発信者番号が、メモリ２６ｂ、２７ｂに保持された特定の移動局１４のＩＤと一致しなければ（ステップＳ４のＮｏルート）、特に処理は行わずにＳＢ信号待受状態に戻る。
【００４５】
また、制御部２６、２７は、基地局折り返しモードを起動すると（ステップＳ５）、タイマ２６ｃ、２７ｃをスタートさせる（ステップＳ６）。なお、このステップＳ５の処理とステップＳ６の処理の順序は、本発明において限定されるものではなく、ステップ６が先であってもよいし、これらの処理は同時に開始されてもよい。
【００４６】
そして、制御部２６、２７は再度特番待受け状態となり、ＳＢ信号を受信すると（ステップＳ７のＹｅｓルート）、上記ステップＳ４と同様に発番が特番であるか否かを判断する（ステップＳ８）。ここで、発番が特番でなければ（ステップＳ８のＮｏルート）、制御部２６、２７は、ＳＢ信号待受け状態となるが、発番が特番であれば（ステップＳ８のＹｅｓルート）、タイマ２６ｃ、２７ｃの計測時間（Ｔ）が予め設定された所定時間ｔ１以上であるか否かを判断する（ステップＳ９）。なお、所定時間ｔ１はメモリ２６ｂ、２７ｂに記憶されていてもよい。
【００４７】
ここで、制御部２６、２７は、タイマ２６ｃ、２７ｃのカウント時間がｔ１に達しておらず時間Ｔがｔ１以上でなければ（ステップＳ９のＮｏルート）、基地局折り返しモードを切り替えずに、ＳＢ信号待受け状態になる。
一方、制御部２６、２７は、タイマ２６ｃ、２７ｃのカウント時間がｔ１に達しており、時間Ｔがｔ１以上であれば（ステップＳ９のＹｅｓルート）、基地局折り返しモードの起動／停止を現在の状態から切り替えて、タイマ２６ｃ、２７ｃを停止、リセットし（ステップＳ１１）、タイマ２６ｃ、２７ｃをスタートする（上記ステップＳ６に戻る）。
【００４８】
このように、制御部２６、２７は、特定の移動局１４からＳＢ信号、つまり、切り替え指示を受けてから所定時間ｔ１を経過するまでは、再度特定の移動局１４からＳＢ信号を受信しても基地局折り返し通信の起動／停止を切り替えないように構成されている。すなわち、所定時間ｔ１は、特定の移動局１４の連続、或いは、短時間で複数回のプレス操作によって、基地局折り返し通信が不用意に連続して切り替えられ、正常な通信が保たれなくなる事態を回避するためのガードタイムとして設定されている。所定時間ｔ１は本発明において限定されるものではないが、例えば数十秒程度であることが好ましい。
【００４９】
以上説明した通り、本発明の第１実施形態としての無線通信システムは、基地局２０が、回線制御装置１１との接続状態の異常を検出する検出部２６ａ、２７ａと、検出部２６ａ、２７ａによって異常が検出されると、予め設定された特定の移動局１４からの信号の受信に基づいて、基地局折り返し通信の起動と停止を切り替える制御部２６、２７とを備えて構成されているので、基地局２０による基地局折り返し通信を特定の移動局１４を用いて遠隔から制御することができる。例えば、消防無線システムの共通波のように、複数の基地局や複数のシステムで同じチャネルを使用する場合には、基地局２０が基地局折り返し通信を継続して長時間使用するとオーバーリーチにより、正常な通信ができなくおそれがより高い。しかし、本発明によれば、基地局２０の基地局折り返し通信の起動／停止を遠隔から制御できるので、ずっと干渉が生じ続けてオーバーリーチエリアにおいて共通波による通信が長時間できなくなることを抑止することができる。
【００５０】
しかも、基地局２０のメモリ２６ｂ、２７ｂに特定の移動局１４のＩＤを記憶させ、特定の移動局１４からの所定の信号に含まれるＩＤに基づいて、これらＩＤが一致するかを判断するだけで、基地局２０が基地局折り返し通信の起動、停止を切り替えるので、基地局２０を大きく変更、改良する必要がなく、低コストで基地局折り返し通信の遠隔制御を実現できる。
【００５１】
さらには、特定の移動局１４からの所定の信号は、通常の移動局１〜４と同じく、プレストークスイッチなどの発呼操作によって発信される同期バースト信号であるため、基地局２０の基地局折り返し通信を遠隔操作するための専用端末を新たに作る必要がなく、移動局１〜４（特に携帯機）と同一の移動局に特定の特番（ＩＤ）を設定するだけで、特定の移動局１４を実現することができ、低コストで基地局折り返しの遠隔制御を実現できる。
【００５２】
また、本発明の第１実施形態としての無線通信システムは、基地局２０がタイマ２６ｃ、２７ｃを備え、制御部２６、２７は、特定の移動局１４からの信号を受信するとタイマ２６ｃ、２７ｃを起動し、所定時間経過するまでは再度特定の移動局１４から信号を受信しても基地局折り返し通信の起動と停止の切り替えを抑止し、所定時間経過後に特定の移動局１４から信号を受信すると基地局折り返し通信の起動と停止の切り替えるとともに、タイマ２６ｃ、２７ｃをリセットするので、特定の移動局１４が不用意に連続操作されたとしても、基地局２０が基地局折り返し通信の起動／停止を切り替えることがなく、基地局折り返し通信を安定して実現できる。つまり、基地局折り返し通信の起動／停止が頻繁に切り換えられることによって、基地局２０傘下の移動局１〜４が通話できなくなることを抑止できる。
【００５３】
〔２〕本発明の第２実施形態について
次に、本発明の第２実施形態について説明する。本発明の第２実施形態の無線通信システムは、上述した第１実施形態では、基地局２０が、特定の移動局１４からの同期バースト信号の受信に基づいて、基地局折り返し通信起動／停止を切り替えたのに対して、特定の移動局１４からの所定のショートメッセージの受信に基づいて基地局折り返し通信起動／停止を切り替える点のみが異なっている。したがって、第２実施形態の無線通信システムの基本的な構成は図１、図２と同一であり、第１、２基地局無線装置２１，２２の制御部２６、２７と検出部２６ａ、２７ａの処理内容とメモリ２６ｂ、２７ｂの記憶内容が第１実施形態とは異なる。
【００５４】
具体的には、図５に示す通り、ステップＳ２ａにおいて、独立運用モードに移行すると、制御部２６、２７は特番設定された特定の移動局１４からの特定のショートメッセージ（ＳＭ）を待ち受ける状態となる。なお、図５において、ステップＳ２ａ、Ｓ３ａ、Ｓ４ａ、Ｓ５ａ、Ｓ７ａ、Ｓ８ａ、Ｓ１０ａは、上述した図３のステップＳ２、Ｓ３、Ｓ４、Ｓ５、Ｓ７、Ｓ８、Ｓ１０にそれぞれ対応する処理であるため、ここでは図３の処理と異なる点を説明する。
【００５５】
ここで、特定のショートメッセージとは、基地局２０の基地局折り返し通信を切り替えるために特定の移動局１４と基地局２０に設定されたショートメッセージである。なお、ショートメッセージは種類に応じた文字データまたは番号で管理され、移動局１４と基地局２０の制御部２６、２７（例えばメモリ２６ｂ、２７ｂ）のそれぞれに設定されている。
【００５６】
そして、制御部２６、２７はショートメッセージを受信するとそれが特定のショートメッセージであるか否かを判断し（ステップＳ３ａ）、特定のショートメッセージであると（ステップＳ３ａのＹｅｓルート）、そのショートメッセージの送信元ＩＤが、メモリ２６ｂ、２７ｂに記憶された特番と一致するか否かを判断する（ステップＳ４ａ）。ここで、送信元ＩＤが特番と一致すれば（ステップＳ４ａのＹｅｓルート）、制御部２６、２７は、基地局折り返しモードをここでは起動し、さらに、応答ショートメッセージを特定の移動局１４に送信（返信）する（ステップＳ５ａ）。なお、基地局２０が返信する応答ショートメッセージは、基地局折り返し通信の切り替えが完了した旨だけでもよいし、切り替えによって基地局折り返し通信を起動したか停止したかを特定する情報をも含むものであってもよい。
【００５７】
このように、基地局２０の制御部２６、２７が応答ショートメッセージを特定の移動局１４へ返信することにより、特定の移動局１４のユーザは、基地局折り返し通信の起動／停止が切り替わったことを認識することができる。さらに、センター設備１０は、上述した第１実施形態のように、基地局折り返し通信のモード（起動／停止）が切り替わったか否かを確認するためのモード確認用移動局装置１５を備える必要がなくなる。
【００５８】
そして、以後、ステップＳ３ａと同様にステップＳ７ａ、ステップＳ４ａと同様にステップＳ８ａの処理が行われ、ステップＳ１０ａでは、制御部２６、２７は、基地局折り返しの起動／停止の切り替えとともに、応答ショートメッセージを特定の移動局１４に送信する。
【００５９】
以上説明したように、本発明の第２実施形態としての無線通信システムは、基地局２０が、回線制御装置との接続状態の異常を検出する検出部２６ａ、２７ａと、この検出部２６ａ、２７ａによって異常が検出されると、予め設定された特定の移動局１４からの特定のショートメッセージの受信に基づいて、基地局折り返し通信の起動と停止を切り替える制御部２６、２７とを備えているので、基地局２０による基地局折り返し通信を特定の移動局１４を用いて遠隔から制御することができる。
【００６０】
しかも、基地局２０のメモリ２６ｂ、２７ｂに特定の移動局１４のＩＤと特定のショートメッセージの情報を記憶させ、特定の移動局１４からの特定のショートメッセージに含まれるＩＤに基づいて、ＩＤが一致するかを判断するだけで、基地局２０が基地局折り返し通信の起動、停止を切り替えるので、基地局２０を大きく変更、改良する必要がなく、低コストで基地局折り返しの遠隔制御を実現することができる。
【００６１】
さらには、特定の移動局１４は、通常の移動局１〜４に対して、特定のショートメッセージを送信できるように構成するだけでよく、低コストで基地局折り返しの遠隔制御を実現することができる。
また、本発明の第２実施形態としての無線通信システムは、基地局２０の制御部２６、２７は、基地局折り返し通信の起動と停止の切り替えると、その旨のショートメッセージを特定の移動局１４へ送信するので、特定の移動局１４は、基地局折り返しモード（起動／停止）が切り替わったことを確実に知ることができる。
【００６２】
〔３〕その他
以上、本発明の実施形態としての無線通信システムについて説明したが、本発明は上述した実施形態に限定されるものではなく、本発明の趣旨を逸脱しない範囲で種々変形または組み合わせて実施することができる。
【００６３】
例えば、上述した第１、２実施形態では、制御部２６、２７がメモリ２６ｂ、２７ｂとタイマ２６ｃ、２７ｃを備えた場合を例にあげて説明した。しかし、本発明はこれに限定されるものではなく、制御部２６、２７でなくても、基地局２０内に備えられていればよい。
【００６４】
また、上述した第１、２実施形態では、第１基地局無線装置２１と第２基地局無線装置２２の両方が本発明の動作を行う場合を例にあげて説明した。上述の通り、本発明において基地局２０が備える基地局無線装置の数は限定されるものではなく、さらに、特定の移動局１４による基地局折り返し通信の起動／停止遠隔制御も、第１基地局無線装置２１か第２基地局無線装置２２の一方のみが実施してもよい。例えば干渉のおそれが高い共通波を使用している第２基地局無線装置２２のみが遠隔制御可能であり、第１基地局無線装置２１は検出部２６ａが回線制御装置１１との接続異常を検出すると、自動的に基地局折り返し通信を起動し続けるように構成してもよい。
【００６５】
さらに、上述した第１、２実施形態では、センター設備１０が特定の移動局１４を１台のみ備える場合を例にあげて説明した。しかし、本発明はこれに限定されるものではなく、本無線通信システムにおける特定の移動局１４の数は限定されず、センター設備１０が複数の特定の移動局１４を備えていてもよいし、検出部２６ａ、２７ａが接続異常を検出した際には、移動局１〜４が特定の移動局として機能してもよい。
【００６６】
なお、上述した第１、２実施形態では、基地局２０の第１、２基地局無線装置２１、２２のそれぞれが検出部２６ａ、２７ａを備えている場合を例にあげて説明した。しかし、本発明はこれに限定されるものではなく、検出部２６ａ、２７ａは基地局２０に少なくとも一つ存在すればよい。例えば、図６に示すように、第１、２基地局無線装置２１、２２共通の検出部２９をインタフェース部２３と第１、２基地局無線装置２１、２２との間に設け、検出部２９が回線制御装置１１との接続異常を検出すると、制御部２６、２７に通知するように構成してもよい。
【００６７】
また、上述した第１実施形態では、ユーザによる特定の移動局１４のプレストークスイッチの押下によって送信される同期バースト信号に基づいて、基地局２０が基地局折り返し通信の起動／停止を切り替える場合を例にあげて説明した。しかし、特定の移動局１４から同期バースト信号が送信されれば、その操作はプレストークスイッチの押下に限定されることはいうまでもない。さらには、制御部２６、２７が基地局折り返し通信の起動と停止を切り替えるための特定の移動局１４からの所定の信号は、同期バースト信号に限定されるものではなく、少なくとも特定の移動局１４を特定することができる情報が含まれた信号であればよい。
【００６８】
なお、上述した第２実施形態では、制御部２６、２７が、特定ＳＭを受信したか（ステップＳ３ａ、Ｓ７ａ）と、送信元が特番か（ステップＳ４ａ、Ｓ８ａ）とに基づいて、基地局折り返し通信モードを切り替えたが、本発明はこれに限定されるものではなく、特定ＳＭを受信すると、送信元が特番か否かを確認せずに、基地局折り返し通信モードを切り替えてもよい。特定の移動局１４からしか特定のＳＭを送信できないように設定することによって実現することができ、これにより、基地局２０での判断処理をより簡略化することができる。
【００６９】
さらに、上述した第２実施形態では、特定の移動局１４が基地局折り返し通信の起動／停止を切り替える旨の特定のショートメッセージを送信するように構成した。しかし、本発明はこれに限定されるものではなく、特定のショートメッセージとして、基地局折り返し通信の起動を指示するショートメッセージと、基地局折り返し通信の停止を指示するショートメッセージとを予め用意し、ユーザの特定の移動局１４の操作によって、所望のショートメッセージを送信し、基地局２０の制御部２６、２７は、現在の基地局折り返し通信の状態と、ショートメッセージの種類とに応じて、必要がある場合に基地局折り返し通信の起動／停止を切り替えるように構成する。これによって、ユーザは、現在の基地局の基地局折り返し通信モードを気にすることなく、例えば、事前に確認用移動局１５で確認することなく、基地局折り返し通信の起動／停止を指示することができ、ユーザの利便性がより向上する。
【符号の説明】
【００７０】
１、２  移動局（携帯機）
３、４  移動局（車載機）
１０、１００  センター設備
１１  回線制御装置
１２  指令台
１３  通信卓
１４  特番設定移動局装置
１５  モード確認用移動局装置
２０、２００、２１０  基地局
２１、２０１  第１基地局無線装置
２２、２０２  第２基地局無線装置
２３  インタフェース部
２４、２５  無線送受信部
２６、２７  制御部
２６ａ、２７ａ、２９  検出部
２６ｂ、２７ｂ  メモリ
２６ｃ、２７ｃ  タイマ
３０  アプローチ回線
【図１】
0005911753.tif 000002
【図２】
0005911753.tif 000003
【図３】
0005911753.tif 000004
【図４】
0005911753.tif 000005
【図５】
0005911753.tif 000006
【図６】
0005911753.tif 000007
【図７】
0005911753.tif 000008
【図８】
0005911753.tif 000009